【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
ウォブルされたトラックが形成されたディスクを用いる光ディスク装置であって、ディスクを回転するディスク回転手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出してその抽出したウォブル信号のレベルに基づいてウォブルの劣化を検出するウォブル劣化検出手段とを備え、前記ウォブル劣化検出手段によりウォブルの劣化が検出された領域には情報を記録しないようにすることを特徴とする光ディスク装置。
【請求項２】
アドレス部が形成され、かつウォブルされたトラックが形成されたディスクを用いる光ディスク装置であって、ディスクを回転するディスク回転手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際のディスクからの反射光に基づいてアドレス部を検出するアドレス部検出手段と、前記トラッキング制御手段が動作している際の前記トラックずれ検出手段の出力信号から抽出したウォブルの前記アドレス部検出手段の出力信号の一定周期に含まれる個数に基づいてウォブルの劣化を検出するウォブル劣化検出手段とを備え、前記ウォブル劣化検出手段によりウォブルの劣化が検出された領域に記録を行わないようにすることを特徴とする光ディスク装置。
【請求項３】
アドレス部が形成され、かつウォブルされたトラックが形成されたディスクを用いる光ディスク装置であって、ディスクを回転するディスク回転手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の出力信号を逓倍して基準クロックを生成するＰＬＬ手段と、前記トラッキング制御手段が動作している際のディスクからの反射光に基づいてアドレス部を検出するアドレス部検出手段と、前記アドレス部検出手段の出力信号の一定周期に含まれる前記ＰＬＬ手段の分周信号のパルス数に基づいてウォブルの劣化を検出するウォブル劣化検出手段とを備え、前記ウォブル劣化検出手段によりウォブルの劣化が検出された領域に記録を行わないようにすることを特徴とする光ディスク装置。
【請求項４】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号から抽出したウォブルの前記回転同期信号の出力信号の一定周期に含まれる個数に基づいてウォブルの劣化を検出するウォブル劣化検出手段とを備え、前記ウォブル劣化検出手段によりウォブルの劣化が検出された領域に記録を行わないようにすることを特徴とする光ディスク装置。
【請求項５】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の出力信号を逓倍して基準クロックを生成するＰＬＬ手段と、前記回転同期信号検出手段の出力信号の一定周期に含まれる前記ＰＬＬ手段の分周信号のパルス数に基づいてウォブルの劣化を検出するウォブル劣化検出手段とを備え、前記ウォブル劣化検出手段によりウォブルの劣化が検出された領域に記録を行わないようにすることを特徴とする光ディスク装置。
【請求項６】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の信号に基づいて前記ディスク回転手段を制御する第１の回転制御手段と、前記回転数検出手段の信号に基づいて前記ディスク回転手段を制御する第２の回転制御手段と、前記トラッキング制御手段が動作している際の前記トラックずれ検出手段の出力信号からウォブル信号を抽出して、その抽出したウォブル信号のレベルに基づいてウォブルの劣化を検出するウォブル劣化検出手段とを備え、前記ウォブル劣化検出手段がウォブルの劣化を検出した場合には前記第２の回転制御手段を動作させることを特徴とする光ディスク装置。
【請求項７】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段と、前記トラッキング制御手段が動作している際の前記トラックずれ検出手段の出力信号から抽出したウォブルの前記回転同期信号の出力信号の一定周期に含まれる個数に基づいてウォブルの劣化を検出するウォブル劣化検出手段とを備え、前記ウォブル劣化検出手段がウォブルの劣化を検出した場合には前記第２の回転制御手段を動作させることを特徴とする光ディスク装置。
【請求項８】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の出力信号を逓倍して基準クロックを生成するＰＬＬ手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段と、前記回転同期信号検出手段の出力信号の一定周期に含まれる前記ＰＬＬ手段の分周信号のパルス数に基づいてウォブルの劣化を検出するウォブル劣化検出手段とを備え、前記ウォブル劣化検出手段がウォブルの劣化を検出した場合には前記第２の回転制御手段を動作させることを特徴とする光ディスク装置。
【請求項９】
アドレス部が形成され、かつウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記トラッキング制御手段が動作している際のディスクからの反射光に基づいてアドレス部を検出するアドレス部検出手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段と、前記トラッキング制御手段が動作している際の前記トラックずれ検出手段の出力信号から抽出したウォブルの前記アドレス部検出手段の出力信号の一定周期に含まれる個数に基づいてウォブルの劣化を検出するウォブル劣化検出手段とを備え、前記ウォブル劣化検出手段がウォブルの劣化を検出した場合には前記第２の回転制御手段を動作させることを特徴とする光ディスク装置。
【請求項１０】
アドレス部が形成され、かつウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射されている光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記トラッキング制御手段が動作している際のディスクからの反射光に基づいてアドレス部を検出するアドレス部検出手段と、前記ウォブル信号検出手段の出力信号を逓倍して基準クロックを生成するＰＬＬ手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段と、前記アドレス部検出手段の出力信号の一定周期に含まれる前記ＰＬＬ手段の分周信号のパルス数に基づいてウォブルの劣化を検出するウォブル劣化検出手段とを備え、前記ウォブル劣化検出手段がウォブルの劣化を検出した場合には前記第２の回転制御手段を動作させることを特徴とする光ディスク装置。
【請求項１１】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラックずれ検出手段の出力信号の所定の周波数成分を検出する信号処理手段と、前記トラッキング制御手段が動作している際の前記信号処理手段の出力信号からウォブル信号を抽出して出力するウォブル信号検出手段とを備え、前記信号処理手段の通過帯域を前記回転同期信号検出手段の出力信号に応じて変えることを特徴とする光ディスク装置。
【請求項１２】
アドレス部が形成され、かつウォブルされたトラックが形成されたディスクを用いる光ディスク装置であって、ディスクを回転するディスク回転手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際のディスクからの反射光に基づいてアドレス部を検出するアドレス部検出手段と、前記トラックずれ検出手段の出力信号の所定の周波数成分を検出する信号処理手段と、前記トラッキング制御手段が動作している際の前記信号処理手段の出力信号からウォブル信号を抽出して出力するウォブル信号検出手段とを備え、前記信号処理手段の通過帯域を前記アドレス部検出手段の出力信号に応じて変えることを特徴とする光ディスク装置。
【請求項１３】
径方向に所定のゾーンに分割され、かつトラック毎にゾーンに応じて所定の個数のアドレス部が形成されたトラックを有するディスクを用いる光ディスク装置であって、ディスクを回転するディスク回転手段と、前記ディスク回転手段の回転に同期した回転同期信号を発生する回転同期信号検出手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際のディスクからの反射光に基づいてアドレス部を検出するアドレス部検出手段とを備え、前記アドレス部検出手段の出力信号の一定周期に含まれる前記回転同期信号検出手段の出力信号の周期に基づいて光ビームが位置するゾーンを判定することを特徴とする光ディスク装置。
【請求項１４】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段とを備え、前記トラッキング制御手段が動作している場合には前記第１の回転制御手段を動作させることを特徴とする光ディスク装置。
【請求項１５】
アドレス部が形成されトラックを有するディスクを用いる光ディスク装置であって、ディスクを回転するディスク回転手段と、前記ディスク回転手段の回転に同期した回転同期信号を発生する回転同期信号検出手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際のディスクからの反射光に基づいてアドレス部を検出するアドレス部検出手段と、前記アドレス部検出手段の信号に基づいて前記ディスク回転手段を制御する第１の回転制御手段と、前記回転同期信号検出手段の信号に基づいて前記ディスク回転手段を制御する第２の回転制御手段とを備え、前記トラッキング制御手段が動作している場合には前記第１の回転制御手段を動作させることを特徴とする光ディスク装置。
【請求項１６】
ウォブルされたトラックが形成されたディスクを用いる光ディスク装置であって、ディスクを回転するディスク回転手段と、前記ディスク回転手段の回転に同期した回転同期信号を発生する回転同期信号検出手段と、ディスクの情報面上に照射される光ビームとトラックの位置ずれを検出するトラックずれ検出手段と、光ビームがトラックを横切るように移動する移動手段と、前記トラックずれ検出手段の出力に基づいてトラック上に前記光ビームがあるように前記移動手段を制御するトラッキング制御手段と、前記トラッキング制御手段が動作している際の前記トラックずれ検出手段の出力信号からウォブル信号を抽出して出力するウォブル信号検出手段と、前記ウォブル信号検出手段の信号に基づいて前記ディスク回転手段を制御する第１の回転制御手段と、前記回転同期信号検出手段の信号に基づいて前記ディスク回転手段を制御する第２の回転制御手段とを備え、前記第１の回転制御手段によってディスクの回転周波数が所定の回転周波数に整定した後は前記第２の回転制御手段を動作させることを特徴とする光ディスク装置。